(57)【特許請求の範囲】
【請求項１】
電流センサが接続される接続手段と、
前記接続手段に接続された電流センサの種類を識別する識別手段と、
前記接続手段に接続されるべき電流センサの種類を表す種類情報を取得する取得手段と、
前記識別手段により識別された前記電流センサの種類と、前記取得手段により取得された前記種類情報により表される電流センサの種類とが一致するか否かを外部に通知する制御を行う通知制御手段と、を備え、
前記識別手段は、前記接続手段に接続された電流センサの抵抗と電力計測装置内部の抵抗とによって、予め定められた電圧が分圧されることで得られた電気信号を取得し、予め記憶された、電流センサの種類と当該電流センサが前記接続手段に接続された場合に得られる電気信号とが対応付けられたデータから、取得した前記電気信号と同じ大きさの電気信号に対応する電流センサの種類を選択することにより前記接続手段に接続された電流センサの種類を識別する、
ことを特徴とする電力計測装置。
【請求項２】
ユーザの操作入力を受け付ける入力手段をさらに備え、
前記取得手段は、前記入力手段を介して、ユーザにより入力された前記種類情報を取得する、
ことを特徴とする請求項１に記載の電力計測装置。
【請求項３】
外部の通信機器と通信を行う通信手段をさらに備え、
前記取得手段は、前記通信手段を介して、前記外部の通信機器から受信した前記種類情報を取得する、
ことを特徴とする請求項１に記載の電力計測装置。
【請求項４】
前記種類情報を前記接続手段毎に示すデータを予め記憶する第２の記憶手段を備え、
前記取得手段は、前記第２の記憶手段に記憶されているデータを参照して、前記接続手段に対応する前記種類情報を取得する、
ことを特徴とする請求項１に記載の電力計測装置。
【請求項５】
前記通知制御手段によって、前記識別手段により識別された前記電流センサの種類と、前記取得手段により取得された前記種類情報により表される電流センサの種類とが一致すると判別された場合に、測定対象の電力に関する演算を行う電力演算手段をさらに備える、
ことを特徴とする請求項１から４の何れか１項に記載の電力計測装置。
【請求項６】
接続部に接続された電流センサの種類を識別する識別ステップと、
前記接続部に接続されるべき電流センサの種類を表す種類情報を取得する取得ステップと、
前記識別ステップで識別された前記電流センサの種類と、前記取得ステップで取得された前記種類情報により表される電流センサの種類とが一致するか否かを外部に通知する制御を行う通知制御ステップと、を有し、
前記識別ステップでは、前記接続部に接続された電流センサの抵抗と電力計測装置内部の抵抗とによって、予め定められた電圧が分圧されることで得られた電気信号を取得し、予め記憶された、電流センサの種類と当該電流センサが前記接続部に接続された場合に得られる電気信号とが対応付けられたデータから、取得した前記電気信号と同じ大きさの電気信号に対応する電流センサの種類を選択することにより前記接続部に接続された電流センサの種類を識別する、
ことを特徴とする電力計測方法。
【請求項７】
コンピュータを、
接続部に接続された電流センサの種類を識別する識別手段、
前記接続部に接続されるべき電流センサの種類を表す種類情報を取得する取得手段、
前記識別手段により識別された前記電流センサの種類と、前記取得手段により取得された前記種類情報により表される電流センサの種類とが一致するか否かを外部に通知する制御を行う通知制御手段、として機能させ、
前記識別手段は、前記接続部に接続された電流センサの抵抗と電力計測装置内部の抵抗とによって、予め定められた電圧が分圧されることで得られた電気信号を取得し、予め記憶された、電流センサの種類と当該電流センサが前記接続部に接続された場合に得られる電気信号とが対応付けられたデータから、取得した前記電気信号と同じ大きさの電気信号に対応する電流センサの種類を選択することにより前記接続部に接続された電流センサの種類を識別する、
ことを特徴とするプログラム。
【発明の詳細な説明】
【技術分野】
【０００１】
本発明は、電力計測装置、電力計測方法、及びプログラムに関する。
【背景技術】
【０００２】
従来、定格電流の異なる電流センサを着脱可能とし、一般家庭等に設置された電気機器（以下、負荷という）に供給される電流を、負荷の使用電流に適した電流センサによって検出する電力計測装置がある。
【０００３】
例えば特許文献１には、電流センサの変換比率、比誤差、位相角度等を表す電流センサ固有の変換情報を、装置本体に接続された電流センサから受け取る電力計測装置が開示されている。この電力計測装置によれば、電流センサの変換情報を、定格電流の異なる電流センサ毎に電力計測装置に記憶させる必要が無くなるため、ユーザの設定作業の軽減を図ることができる。
【先行技術文献】
【特許文献】
【０００４】
【特許文献１】特開２００７−２９８４１４号公報
【発明の概要】
【発明が解決しようとする課題】
【０００５】
しかしながら、電流センサを設置する作業者によって、負荷の使用電流に適していない電流センサが電力計測装置に誤って接続されることがある。一般的に、定格電流と比べて小さい電流ほど、電流センサによって検出される電流の誤差は大きくなる。そのため、例えば、負荷の使用電流が定格３０アンペアである場合に、定格１００アンペアの電流センサが使用されたときには、負荷の使用電流が正確に検出されないことがある。
【０００６】
このように、本来接続されるべきではない電流センサが電力計測装置に接続された場合には、負荷に供給される電流を正確に検出できない、という問題があった。また、電流センサの設置作業後に、誤った電流センサが接続されていることに気付くのは難しい、という問題があった。
【０００７】
本発明は、このような問題を解決するためのものであり、本来接続されるべきではない電流センサが接続されることを防ぎ、負荷に供給される電流を正確に検出できる、電力計測装置、電力計測方法、及びプログラムを提供することを目的とする。
【課題を解決するための手段】
【０００８】
本発明に係る電力計測装置は、
電流センサが接続される接続手段と、
前記接続手段に接続された電流センサの種類を識別する識別手段と、
前記接続手段に接続されるべき電流センサの種類を表す種類情報を取得する取得手段と、
前記識別手段により識別された前記電流センサの種類と、前記取得手段により取得された前記種類情報により表される電流センサの種類とが一致するか否かを外部に通知する制御を行う通知制御手段と、を備え、
前記識別手段は、前記接続手段に接続された電流センサの抵抗と電力計測装置内部の抵抗とによって、予め定められた電圧が分圧されることで得られた電気信号を取得し、予め記憶された、電流センサの種類と当該電流センサが前記接続手段に接続された場合に得られる電気信号とが対応付けられたデータから、取得した前記電気信号と同じ大きさの電気信号に対応する電流センサの種類を選択することにより前記接続手段に接続された電流センサの種類を識別する、
ことを特徴とする。
【発明の効果】
【０００９】
本発明によれば、本来接続されるべきではない電流センサが接続されることを防ぎ、負荷に供給される電流を正確に検出できる。
【図面の簡単な説明】
【００１０】
【図１】本発明の実施の形態に係る電力計測装置の構成を示す図である。
【図２】図１に示した記憶部に記憶された接続センサ識別データの構成を示す図である。
【図３】図１に示した記憶部に記憶された設置データの構成を示す図である。
【図４】図１に示した電流センサ及び電気信号取得部の構成を示す図である。
【図５】本発明の実施形態に係る電力計測装置が実行する処理を示すフローチャートである。
【図６】本発明の変形例に係る電力計測装置の構成を示す図である。
【発明を実施するための形態】
【００１１】
以下、本発明の実施の形態について図面を参照して説明する。
【００１２】
はじめに図１を参照して、本発明の実施の形態に係る電力計測装置１０の構成を説明する。電力計測装置１０は、コネクタ１３ａ〜１３ｃに接続された電流センサ３０ａ〜３０ｃについて、本来接続されるべきものであったのか否かを判定し、その判定結果をユーザに通知する。電力計測装置１０は、本来接続されるべき電流センサ３０ａ〜３０ｃが接続されている場合には、電流センサ３０ａ〜３０ｃ等から受け取る電気信号を基に、被測定系の電力に関する所定の演算を行う。負荷４０ａ〜４０ｃは、例えば、冷蔵庫、電子レンジ、洗濯機といった、一般家庭等に設置された電気機器である。なお、以下の説明において、各電流センサ３０ａ〜３０ｃ、各負荷４０ａ〜４０ｃは、これらを区別しない場合、それぞれ電流センサ３０、負荷４０と称する。
【００１３】
電力計測装置１０は、制御部１１、記憶部１２、コネクタ１３ａ〜１３ｃ、Ａ／Ｄ変換器１４ａ〜１４ｄ、電気信号取得部１５、入力部１６、表示部１７、通知部１８、抵抗分圧回路１９、及び周波数情報取得部２０を備える。なお、以下の説明において、各コネクタ１３ａ〜１３ｃ、各Ａ／Ｄ変換器１４ａ〜１４ｄは、これらを区別しない場合、それぞれコネクタ１３、Ａ／Ｄ変換器１４と称する。
【００１４】
制御部１１は、例えば、ＣＰＵ(Central Processing Unit)、ＣＰＵのメインメモリとして機能するＲＡＭ（Random Access Memory）、タイマ等を備える。制御部１１は、命令やデータを転送するための伝送経路であるシステムバスを介して電力計測装置１０の各部と接続され、電力計測装置１０全体を制御する。なお、制御部１１は、一部にＡＳＩＣ（Application Specific Integrated Circuit）等の専用回路を備えてもよい。
【００１５】
また、制御部１１は、電力計測装置１０に電源が供給されたときに記憶部１２に記憶された制御プログラムを読み出して実行する。これにより、制御部１１は、識別部１１ａ、取得部１１ｂ、通知制御部１１ｃ、電力演算部１１ｄとして機能する。
【００１６】
識別部１１ａは、コネクタ１３に接続された電流センサ３０の種類を、電気信号取得部１５から受け取る電気信号の大きさに基づいて識別する。
【００１７】
取得部１１ｂは、コネクタ１３に接続されるべき電流センサ３０の種類を表す情報（以下、種類情報という）を入力部１６から取得する。種類情報は、例えば、電流センサ３０の定格電流である。
【００１８】
通知制御部１１ｃは、識別部１１ａにより識別された電流センサ３０の種類と、取得部１１ｂにより取得された種類情報により表される電流センサ３０の種類とが一致するか否かを判別する。通知制御部１１ｃは、当該判別結果に基づいて、コネクタ１３に接続された電流センサ３０の使用の正否を、通知部１８を介して外部に通知する制御を行う。
【００１９】
電力演算部１１ｄは、通知制御部１１ｃによって、接続されるべき電流センサ３０が接続されていると判別された場合に、被測定系の電力に関する所定の演算を行う。具体的には、電力演算部１１ｄは、測定対象となる各負荷４０ａ〜４０ｃの使用電力や使用電力量等を求める。
【００２０】
記憶部１２は、ＲＯＭ（Read Only Memory）、フラッシュメモリ等の記憶装置から構成される。記憶部１２は、ＯＳ（Operating System）や各種アプリケーションプログラム等、制御部１１が各種処理を行うために使用する各種プログラムおよびデータ、制御部１１が各種処理を行うことにより生成または取得した各種データを記憶する。
【００２１】
また、記憶部１２は、変換比率、比誤差、位相角度等を表す電流センサ３０固有の変換情報を、定格電流及び電源周波数毎に記憶する。
【００２２】
また、記憶部１２は、制御プログラム、接続センサ識別データ、及び設置データを記憶する。
【００２３】
接続センサ識別データは、電流センサ３０の種類と、電気信号の大きさとの関係を示したデータである。コネクタ１３に接続された電流センサ３０の種類は接続センサ識別データによって一意に識別される。接続センサ識別データは、種類情報と、電気信号情報とを有する。種類情報は、電流センサ３０の種類を識別する情報であり、例えば、電流センサ３０の定格電流が該当する。なお、本実施形態の接続センサ識別データ（図２参照）においては、電流センサ３０の製品名や製品番号等を定格電流等と対応付けているため、製品名や製品番号等を種類情報として扱うことが可能である。電気信号情報は、電流センサ３０がコネクタ１３に接続された場合に電気信号取得部１５で得られる電気信号の大きさを表す。識別部１１ａは、電気信号取得部１５から受け取った電気信号の大きさに基づいて電流センサ３０の種類を識別する。
【００２４】
設置データは、コネクタ１３に接続されるべき電流センサ３０、及び当該電流センサ３０によって検出される電流の供給先である負荷４０を示したデータである。設置データは、図３に示すように、コネクタ識別情報と、種類情報と、負荷識別情報とを有する。コネクタ識別情報は、コネクタ１３を一意に識別するための情報であり、例えばコネクタ１３の製品番号を有する。種類情報は、上記接続センサ識別データが有する種類情報と同様、電流センサ３０の定格電流、製品名、製品番号等を有する。負荷識別情報は、負荷４０を一意に識別するための情報であり、例えば、負荷４０の製品名、製品番号、種類（主幹、分岐等）の少なくとも何れかを有する。設置データは、コネクタ１３に本来接続されるべき電流センサ３０の入力を要求する要求データとともに表示部１７の画面に表示される。また、当該設置データは、電流センサ３０を設置する際に作業者によって使用される。作業者は、当該設置データを参照して、各コネクタ１３に所定の電流センサ３０を接続し、当該電流センサ３０を所定の負荷４０に接続された電源線ＰＷに接続する。
【００２５】
コネクタ１３は、異なる種類の電流センサ３０を着脱可能とする。コネクタ１３は、電流センサ３０によって検出された電流を表す信号（電気信号）をＡ／Ｄ変換器１４に供給する。
【００２６】
Ａ／Ｄ変換器１４は、制御部１１の制御のもと、入力されたアナログの電気信号をデジタル変換し、デジタル変換後の電気信号を制御部１１に供給する。Ａ／Ｄ変換器１４ａ〜１４ｃは、コネクタ１３ａ〜１３ｃを介して供給された電気信号をデジタル変換し、デジタル変換後の電気信号を制御部１１に供給する。一方、Ａ／Ｄ変換器１４ｄは、抵抗分圧回路１９を介して供給された電気信号をデジタル変換し、デジタル変換後の電気信号を制御部１１及び周波数情報取得部２０に供給する。
【００２７】
電気信号取得部１５は、コネクタ１３と接続される。電気信号取得部１５は、被測定系から与えられる一定の電圧（電源電圧）を、接続された電流センサ３０との間で決定される比率で分圧し、分圧後の電気信号を制御部１１に供給する。
【００２８】
入力部１６は、例えば、ユーザからの各種操作を受け付ける入力インタフェース装置から構成される。入力部１６は、ユーザから受け付けた各種操作に対応する操作信号を制御部１１に供給する。例えば、ユーザは、表示部１７に表示された設置データ及び要求データを確認し、各コネクタ１３に本来接続されるべき電流センサ３０の種類を、それぞれ入力部１６を用いて入力する操作を行う。入力部１６は、ユーザの操作に従って入力された電流センサ３０の種類を表す情報（以下、種類情報という）を制御部１１に供給する。
【００２９】
表示部１７は、例えばＬＣＤ（Liquid Crystal Display）、有機ＥＬ（Electro-Luminescence）等の表示インタフェース装置から構成される。表示部１７は、例えば、上述した設置データ及び要求データ等、制御部１１から供給される各種画像データに対応する画像を画面に表示する。
【００３０】
通知部１８は、例えば、ＬＥＤ（Light Emitting Diode）等の発光部を備える発光装置や、スピーカ等を含んで構成される。通知部１８は、通知制御部１１ｃの制御のもと、コネクタ１３に接続された電流センサ３０の使用の正否を通知する。
【００３１】
抵抗分圧回路１９は、被測定系から与えられる一定の電圧（電源電圧）を分圧する。抵抗分圧回路１９は、分圧後の電気信号をＡ／Ｄ変換器１４ｄに供給する。
【００３２】
周波数情報取得部２０は、Ａ／Ｄ変換器１４ｄから供給された電気信号を受け取り、受け取った電気信号の周波数（電源周波数）を算出する。周波数情報取得部２０は、算出した周波数を表す情報（以下、周波数情報という）を制御部１１に供給する。
【００３３】
次に図４を参照して、図１に示した電流センサ３０ａ及び電気信号取得部１５の構成を説明する。なお、電流センサ３０ｂ，３０ｃも、電流センサ３０ａと同様の構成を備える。
【００３４】
電流センサ３０ａは、電流トランス３１ａ、抵抗３２ａ、及びコネクタ３３ａを備える。
【００３５】
電流トランス３１ａは、作業者によって、測定対象である負荷４０ａに接続された電源線ＰＷに接続される。電流トランス３１ａは、電源線ＰＷに流れる電流を検出し、検出した電流の大きさに対応する電気信号をコネクタ３３ａに供給する。
【００３６】
抵抗３２ａは、例えば、電流センサ３０ａが製品Ａの場合は１ｋΩ、電流センサ３０ａが製品Ｂの場合は３ｋΩというように、電流センサ３０ａの種類毎に値が異なる。
【００３７】
コネクタ３３ａは、電力計測装置１０のコネクタ１３（ここではコネクタ１３ａ）と接続される。
【００３８】
一方、電気信号取得部１５は、抵抗１５１ａ〜１５１ｃ、マルチプレクサ１５２、Ａ／Ｄ変換器１５３を備える。なお、以下の説明において、各抵抗１５１ａ〜１５１ｃは、これらを区別しない場合、抵抗１５１と称する。
【００３９】
抵抗１５１ａは、コネクタ１３ａとマルチプレクサ１５２との間に設けられる。抵抗１５１ａには、被測定系から一定の電圧（電源電圧）が与えられ、当該電圧は、抵抗１５１ａ及びコネクタ１３ａを介して接続された電流センサ３０ａの抵抗３２ａによって分圧される。分圧の度合いは、抵抗１５１ａ及び抵抗３２ａの値に比例し、コネクタ１３ａに接続される電流センサ３０ａの種類（定格電流）に応じて変化する。
【００４０】
例えば、抵抗の値が異なる製品Ａと製品Ｂとを接続したときとでは、分圧後の電気信号の大きさは異なる。具体的には、被測定系からＶ（ボルト）の電圧が与えられ、抵抗１５１ａが９ｋΩであった場合、抵抗が１ｋΩである製品Ａの電流センサ３０ａが接続されたときはＶ／１０の電気信号が得られる。一方、抵抗が３ｋΩである製品Ｂの電流センサ３０ａが接続されたときはＶ／４の電気信号が得られる。なお、抵抗１５１ｂ，１５１ｃについても、抵抗１５１ａと同様であり、分圧後の電気信号は、何れもマルチプレクサ１５２に供給される。また、各抵抗１５１の値は、全て同じでも良いし、異なっていても良い。ただし、異なる値の抵抗１５１を用いる場合、記憶部１２には、異なる値の抵抗１５１毎に接続センサ識別データを記憶する必要がある。
【００４１】
マルチプレクサ１５２は、制御部１１の制御のもと、各抵抗１５１及び接続された電流センサ３０の抵抗（図４に示す電流センサ３０ａの場合は、抵抗１５１ａ及び抵抗３２ａ）によって分圧された後の電気信号を、選択的にＡ／Ｄ変換器１５３に供給する。
【００４２】
Ａ／Ｄ変換器１５３は、マルチプレクサ１５２から受け取ったアナログの電気信号をデジタル変換し、デジタル変換後の電気信号を制御部１１に供給する。
【００４３】
次に図５を参照して、以上のように構成された電力計測装置１０の動作を説明する。
【００４４】
電力計測装置１０に電源が供給されると、制御部１１は、記憶部１２に記憶された制御プログラムを読み出して実行する。これにより、制御部１１は、識別部１１ａ、取得部１１ｂ、通知制御部１１ｃ、電力演算部１１ｄとして機能し、各部１１ａ〜１１ｄは、以下の各種処理を実行する。
【００４５】
識別部１１ａは、電気信号取得部１５のマルチプレクサ１５２、Ａ／Ｄ変換器１５３を制御し、各コネクタ１３に対応する電気信号を選択的に受け取る。識別部１１ａは、選択したコネクタ１３に対応する電気信号を受け取ると、選択したコネクタ１３に接続された電流センサ３０の種類を識別する（ステップＳ１１）。具体的には、識別部１１ａは、選択したコネクタ１３に対応する電気信号を受け取ると、記憶部１２に記憶された接続センサ識別データの中から、当該電気信号の大きさに対応する種類情報を取得し、取得した種類情報によって、選択したコネクタ１３に接続された電流センサ３０の種類を識別する。例えば識別部１１ａは、選択したコネクタ１３ａに対応する電気信号の大きさがＶ／１０であった場合に、図２に示した接続センサ識別データの中から、当該電気信号の大きさに対応する定格電流、製品名、製品番号の少なくとも何れかの種類情報を取得する。なお、ここでは、識別部１１ａは、製品名を種類情報として取得する。これにより、識別部１１ａは、当該種類情報によって、選択したコネクタ１３ａに接続された電流センサ３０ａは製品Ａであることを識別する。
【００４６】
次に、取得部１１ｂは、選択されたコネクタ１３に接続されるべき電流センサ３０の種類情報を入力部１６から取得する（ステップＳ１２）。具体的には、はじめに、取得部１１ｂは、記憶部１２に記憶された設置データと、コネクタ１３に本来接続されるべき電流センサ３０の種類情報について入力を要求する要求データを表示部１７の画面に表示する。ユーザは、この画面を確認し、入力部１６を用いて、選択されたコネクタ１３に対応する電流センサ３０の定格電流、製品名、製品番号の少なくとも何れかの種類情報を入力する操作を行う。なお、ここでは、取得部１１ｂは、表示部１７に製品名の入力を要求する画面を表示し、これに従って、ユーザは、入力部１６を介して、「製品Ａ（製品名）」を入力する操作を行う。
【００４７】
通知制御部１１ｃは、識別部１１ａにより識別された電流センサ３０の種類と、取得部１１ｂにより取得された種類情報により表される電流センサ３０の種類とが一致するか否かを判別する（ステップＳ１３）。上述した例では、通知制御部１１ｃは、電流センサ３０の製品名が何れも製品Ａで一致するので、選択されたコネクタ１３に接続された電流センサ３０の種類は一致すると判別する。
【００４８】
通知制御部１１ｃは、電流センサ３０の種類が一致すると判別した場合（ステップＳ１３；ＹＥＳ）、ステップＳ１１で選択されたコネクタ１３に接続された電流センサ３０について正しく接続されている旨を、通知部１８を介してユーザに通知する（ステップＳ１４）。具体的には、上述した例では、例えば「コネクタ１３ａに接続されている電流センサ３０ａは接続ＯＫ」というメッセージを画像や音声によって通知部１８から出力する。
【００４９】
一方、通知制御部１１ｃは、電流センサ３０の種類が一致しないと判別した場合（ステップＳ１３；ＮＯ）、ステップＳ１１で選択されたコネクタ１３に接続された電流センサ３０について誤って接続されている旨を、通知部１８を介してユーザに通知する（ステップＳ１６）。具体的には、例えば「コネクタ１３ａに接続されている電流センサ３０ａは接続ＮＧ」というメッセージを画像や音声によって通知部１８から出力する。その後、通知制御部１１ｃはステップＳ１１に戻り、識別部１１ａは、上記と同様の処理を行う。
【００５０】
また、通知制御部１１ｃは、ステップＳ１４の処理後、全てのコネクタ１３についてステップＳ１４の処理が行われたか否かによって、接続されるべき電流センサ３０が全て接続されているか否かを判別する（ステップＳ１６）。通知制御部１１ｃは、全てのコネクタ１３について、上記ステップＳ１４の処理が行われていないと判別した場合は（ステップＳ１６；ＮＯ）、ステップＳ１１に戻り、識別部１１ａは、上記と同様の処理を行う。
【００５１】
通知制御部１１ｃによって、接続されるべき電流センサ３０が全て正しく接続されていると判別された場合（ステップＳ１６；ＹＥＳ）、電力演算部１１ｄは、被測定系から取得した各種情報（電流、電圧、電源周波数等）、及び記憶部１２において電流センサ３０の種類及び電源周波数毎に記憶された、変換比率、比誤差、位相角度等を表す電流センサ３０固有の変換情報に基づいて、測定対象の電力に関する所定の演算を行う（ステップＳ１７）。例えば、電力演算部１１ｄは、各被測定系について、予め設定された演算内容に基づいて使用電力や使用電力量等を求める。その後、電力演算部１１ｄはステップＳ１１に戻り、識別部１１ａは、上記と同様の処理を行う。
【００５２】
そして、ステップＳ１１〜Ｓ１７の処理は、電力計測装置１０への電源が供給されなくなるまで、またはユーザの操作に従って中断されるまで、行われる。
【００５３】
以上説明したように、本実施の形態に係る電力計測装置１０によれば、コネクタ１３に接続されている電流センサ３０について本来接続されるべきものであったか否かを判別し、その判別結果を外部に通知できる。これにより、本来接続されるべきではない電流センサ３０が接続されることを防ぐことができ、負荷４０に供給される電流を正確に検出できる。また、設置作業者は、被測定系において電流センサ３０が正しく設置されているか否かを確認する煩雑な作業を行わなくて済む。
【００５４】
なお、取得部１１ｂは、コネクタ１３に接続されるべき電流センサ３０の種類情報を入力部１６から取得する代わりに、当該コネクタ１３に対応する測定対象である負荷４０の識別情報（負荷識別情報）を入力部１６から取得しても良い。この場合、取得部１１ｂは、表示部１７に負荷識別情報（負荷４０の製品名、製品番号、種類の少なくとも何れか）の入力を要求する画面を表示する。ここでは、取得部１１ｂは、負荷識別情報として負荷４０の種類の入力を要求する画面を表示する。これに従って、ユーザは、図３に示した、記憶部１２に記憶された設置データを参照し、選択されたコネクタ１３に対応する負荷４０の種類（例えば「主幹」）を、入力部１６を介して入力する操作を行う。取得部１１ｂは、入力部１６から負荷識別情報を取得すると、記憶部１２に記憶された設置データの中から当該負荷識別情報を有する設置データを特定し、その設置データから種類情報を抽出する。このようにして、取得部１１ｂは、コネクタ１３に接続されるべき電流センサ３０の種類情報を、ユーザの操作に従って入力される負荷４０の識別情報を基に取得しても良い。その後は、上記実施の形態と同様、通知制御部１１ｃは、識別部１１ａにより識別された電流センサ３０の種類と、取得部１１ｂにより取得された種類情報により表される電流センサ３０の種類とが一致するか否かを判別する。
【００５５】
また、取得部１１ｂは、選択されたコネクタ１３に本来接続されるべき電流センサ３０の種類情報を、ユーザの操作に従って入力部１６から取得する代わりに、記憶部１２に記憶された設置データの中から、選択されたコネクタ１３に対応する種類情報を自動的に取得しても良い。
【００５６】
また、取得部１１ｂは、リモコン装置や携帯端末等の通信機器から、無線により、またはネットワークを介して種類情報を受信することにより、取得しても良い。この場合、図６に示すように、電力計測装置１０は、通信機器５０と通信を行う通信部２１を備える。通信機器５０は、制御部５１、入力部５２、表示部５３、通信部５４、通知部５５を備える。通信機器５０の制御部５１は、入力部５２、表示部５３、通信部５４、通知部５５を制御することにより通信機器５０全体を制御する。制御部５１は、電力計測装置１０から通信部５４を介して受信した要求データを表示部５３に表示する制御を行う。また、制御部５１は、ユーザの操作に従って入力部５２に入力された種類情報を通信部５４を介して電力計測装置１０に送信する制御を行う。また、制御部５１は、電力計測装置１０から通信部５４を介して受信した電流センサ３０の使用の正否を、通知部５５を介してユーザに通知する制御を行う。このように、通信機器５０を利用することによって、ユーザは、電力計測装置１０から離れた場所にいても、コネクタ１３に接続されている電流センサ３０についての使用の正否を確認することができる。なお、この場合において、電力計測装置１０は、図１に示した入力部１６、表示部１７、及び通知部１８を省略しても良い。
【００５７】
また、電流センサ３０の種類情報には、電流トランス３１ａの製品名、製品番号、定格電流や、抵抗３２ａの製品名、製品番号、抵抗値等を採用しても良い。
【００５８】
また、各電流センサ３０は、自己の種類情報を記憶する記憶部を備えても良い。この場合、取得部１１ｂは、コネクタ１３に接続された電流センサ３０から当該電流センサ３０の記憶部に記憶された種類情報を取得すればよい。この場合、電力計測装置１０の構成において、電気信号取得部１５は省略できる。
【００５９】
また、上記の場合、各電流センサ３０の記憶部には、さらに、変換比率、比誤差、位相角度等を表す製品固有の変換情報を記憶しても良い。この場合、電力演算部１１ｄは、コネクタ１３に接続された電流センサ３０から変換情報を取得し、当該変換情報によって、測定対象の電力に関する所定の演算を行っても良い。なお、電流センサ３０が、周囲の温度を計測する温度センサを備える場合、電力計測装置１０の記憶部１２には、温度をパラメータとした変換情報を記憶しても良い。これにより、電流センサ３０の周囲の温度も考慮した高精度な電力計測を行うことができる。
【００６０】
また、本発明に係る電力計測装置は、一般的なパーソナルコンピュータ（ＰＣ）等により実現できる。この場合、上記実施の形態で説明した動作を実行するためのプログラムをＰＣ等にインストールし、このプログラムをＰＣ等が実行することにより本発明に係る電力計測装置として機能させることができる。このようなプログラムは、例えば、持ち運び可能な記録媒体等に記録されて配布される。持ち運び可能な記録媒体には、例えば、ＣＤ−ＲＯＭ、ＤＶＤ−ＲＯＭ、ＢＤ−ＲＯＭ、ＭＯ等がある。
【００６１】
この他、ＰＣ等にプログラムを提供する方法は任意である。例えば、プログラムを通信回線の掲示板（ＢＢＳ）にアップロードし、通信回線を介してＰＣ等に配信してもよい。また、プログラムは、プログラムを表す信号により搬送波を変調した変調波により伝送され、この変調波を受信した装置が変調波を復調してプログラムを復元するようにしてもよい。そして、ＰＣ等は、このプログラムを起動して、ＯＳの制御のもと、他のアプリケーションと同様に実行する。これにより、ＰＣ等は、本発明に係る電力計測装置として機能する。
【００６２】
その他、本発明は、上記実施の形態の説明および図面によって限定されるものではなく、上記実施の形態および図面に適宜変更等を加えることは可能である。
【符号の説明】
【００６３】
１０  電力計測装置、１１  制御部、１１ａ  識別部、１１ｂ  取得部、１１ｃ  通知制御部、１１ｄ  電力演算部、１２  記憶部、１３，１３ａ，１３ｂ，１３ｃ  コネクタ、１４，１４ａ，１４ｂ，１４ｃ，１４ｄ  Ａ/Ｄ変換器、１５  電気信号取得部、１６  入力部、１７  表示部、１８  通知部、１９  抵抗分圧回路、２０  周波数情報取得部、２１  通信部、３０，３０ａ，３０ｂ，３０ｃ  電流センサ、３１ａ  電流トランス、３２ａ  抵抗、３３ａ  コネクタ、４０，４０ａ，４０ｂ，４０ｃ  負荷、５０  通信機器、５１  制御部、５２  入力部、５３  表示部、５４  通信部、５５  通知部、１５１，１５１ａ，１５１ｂ，１５１ｃ  抵抗、１５２  マルチプレクサ、１５３  Ａ／Ｄ変換器、ＰＷ  電源線
【図１】
0006041784.tif 000002
【図２】
0006041784.tif 000003
【図３】
0006041784.tif 000004
【図４】
0006041784.tif 000005
【図５】
0006041784.tif 000006
【図６】
0006041784.tif 000007